(57)【特許請求の範囲】
【請求項１】
ケース内に、電磁ソレノイド機構の励磁により、その揺動支点を中心に揺動する可動鉄片を設け、該可動鉄片の揺動により可動端子及び固定端子を有する電気接点開閉機構の開閉動作を行う電磁継電器であって、
前記可動鉄片にカードを取り付けて、該カードに、前記可動端子の、互いに短絡する複数の接触片を保持させて、これらの接触片に前記可動端子の可動接点を担持させ、前記ケース内に端子を設け、この端子に、前記カードに復帰力を与えて、前記可動鉄片を、前記電磁ソレノイド機構の消磁時の揺動位置に保持させる復帰ばね片を取付け、この復帰ばね片の復帰力により前記可動接点を前記固定端子の固定接点に対して開離させ、且つ前記復帰ばね片の自由端部に接点取付部を設けたことを特徴とする電磁継電器。
【請求項２】
前記接触片が二つであり、これらの接触片間の中央に前記復帰ばね片が配置してあることを特徴とする請求項１に記載の電磁継電器。
【請求項３】
前記可動鉄片は、前記電磁ソレノイド機構の鉄心に対向配置される鉄心動作受け片部と可動端子揺動片部とを屈曲部で略Ｌ字状を呈するように互いに一体に形成し、且つ前記鉄心動作受け片部の前記屈曲部寄りに可動鉄片側係合部を設けて構成してあり、前記ケース内に、前記電磁ソレノイド機構を保持する電磁ソレノイド取付部材を設け、この電磁ソレノイド取付部材に取付部材側係合部を設け、この取付部材側係合部に前記可動鉄片側係合部を揺動可能に係合させて前記可動鉄片の前記揺動支点を構成し、前記電磁ソレノイド取付部材に可動鉄片枢支用板ばねを取付けて、この可動鉄片枢支用板ばねの自由端部に、前記電磁ソレノイド機構の励磁による前記可動鉄片の揺動時に可動端子揺動片部に接触する支え部と、この支え部に連なる可動鉄片接触部を形成して、この可動鉄片接触部を前記可動鉄片の前記屈曲部に接触させて、前記電磁ソレノイド機構の消磁による前記可動鉄片の倒れを阻止してヒンジ動作部を構成し、前記カードは、前記接触片の突出方向に突出する可動鉄片取付部と、この可動鉄片取付部に前記接触片の突出方向とは直交する方向に突出する操作突起部とからなるカードリフト動作部を有しており、前記可動鉄片取付部を前記可動端子揺動片部に取付けることで前記可動鉄片に前記カードを取付け、前記操作突起部を前記復帰ばね片に接触させて、この復帰ばね片の押込みに用いると共に、前記操作突起部の接触点を復帰力の作用点にしたことを特徴とする請求項１又は請求項２に記載の電磁継電器。
【請求項４】
前記可動接点が常開可動接点であり、前記固定接点が常開固定接点であって、これらの前記常開可動接点と前記常開固定接点とでａ接点を構成し、前記復帰ばね片の前記接点取付部に常閉可動接点を取付け、前記ケース内に常閉固定端子を設け、前記復帰ばね片の復帰力により前記常閉可動接点を前記常閉固定端子の常閉固定接点に接触させて前記常閉可動接点と前記常閉固定接点とでｂ接点を構成するようにしたことを特徴とする請求項１乃至請求項３の何れかの一に記載の電磁継電器。
【発明の詳細な説明】
【技術分野】
【０００１】
本発明は、電磁ソレノイド機構の励磁或いは消磁により可動鉄片を駆動し、可動端子及び固定端子を有する電気接点開閉機構の開閉動作を行うように構成した電磁継電器に関するものである。
【背景技術】
【０００２】
この種の電磁継電器として、図２５乃至図２７に示すものがある。この電磁継電器では、ベース基台１１１上に三つの固定接点設置室１１２を形成して、固定接点設置室１１２には、それぞれ常閉固定接触片１１３及び常開固定接触片１１４が配置してある。
【０００３】
常閉固定接触片１１３の上端側下面には固定接点１１３ａが取付けてあり、また、常開固定接触片１１４の上端側上面には固定接点１１４ａが取付けてあって、常閉固定接触片１１３及び常開固定接触片１１４は、固定接点１１３ａ及び１１４ａ同士が対向するように、ベース基台１１１に離間配置してある。
【０００４】
固定接点１１３ａと固定接点１１４ａとの間には、互いに略Ｌ字形に折曲構成された可動接触片１１５に取り付けられた可動接点１１５ａが介在しており、可動接点１１５ａは、常時は、常閉固定接触片１１３側の固定接点１１３ａに投入された状態になっている。
【０００５】
そして、ケース１１６内には、電磁ソレノイド機構１１７を保持する電磁ソレノイド取付部材１１８が設けてあり、この電磁ソレノイド取付部材１１８に可動鉄片１１９が揺動可能に設けてあり、可動鉄片１１９は、可動鉄片枢支用板ばね１２０により電磁ソレノイド機構１１７の消磁による可動鉄片１１９の倒れを阻止している。
【０００６】
可動鉄片１１９はカード１２１を保持しており、このカード１２１は三つの操作突起部１２２を有していて、それぞれの操作突起部１２２が、その対応する可動接触片１１５に接触している。
【０００７】
そして、図２６に示すように、電磁ソレノイド機構１１７の電磁ブロック１１７Ａに電気が投入されていない消磁においては、可動鉄片１１９は板ばね１２０の付勢力によって、ケース１１６の外側方向（図２６では左方向）に付勢されて揺動しており、カード１２１を介して可動接触片１１５の可動接点１１５ａを常閉固定接触片１１３の固定接点１１３ａ側に接続させている。
【０００８】
図２７に示すように、電磁ソレノイド機構１１７の消磁状態から、電磁ブロック１１７Ａに電気を投入して励磁させると、鉄心１１７Ｂが吸引して、可動鉄片１１９をケース１１６の内側方向（図２８においては右方向）に揺動させて、カード１２１の操作突起部１２２が可動接触片１１５上を摺動し、この結果、可動接触片１１５が揺動して、可動接点１１５ａを固定接点１１３ａ側から常開固定接触片１１４側の固定接点１１４ａに接続させることになる（特許文献１参照）。
【特許文献１】特開２００７−２５０２３８号公報
【発明の開示】
【発明が解決しようとする課題】
【０００９】
上記した従来の電磁継電器によれば、同一構造の中に接点極数によるシリーズ品を追加した場合、接点構成および極数の違いを考慮しその構造に対応した数種類の可動接触片１１５等の部品を極数シリーズに対して置き換えて使用する必要がある。また、極数の違いによるばね力等の設計パラメータの違いも考慮する必要があり、商品設計および製造工程での取り扱い難易度は必然的に高くなるという課題があった。
【００１０】
また、従来の電磁継電器では、電磁ソレノイド機構１１７の消磁状態から、電磁ブロック１１７Ａに電気を投入して励磁させると、鉄心１１７Ｂが吸引して可動鉄片１１９を揺動させて、カード１２１の操作突起部１２２が可動接触片１１５上を摺動し、この結果、可動接触片１１５が揺動して、可動接点１１５ａを固定接点１１３ａ側から常開固定接触片１１４側の固定接点１１４ａに接続させるように、カード１２１の操作突起部１２２が三つの可動接触片１１５を一度に押し込み、三つの接点の切換を行なっており、三つの接点の内一つ接点に溶着が発生した場合、三つの可動接触片１１５の内の二つの可動接触片１１５の復帰ばね力により、溶着した接点を引き上げてしまうために、溶着検出を行なうことができなかった。
【００１１】
そこで、本発明はかかる従来の課題を改善するために案出されたもので、一極、二極の極数シリーズに対し設計的パラメータを合わせることができて、極数シリーズに対し容易に対応でき、且つ溶着検出も可能な電磁継電器を提供することを目的としている。
【課題を解決するための手段】
【００１２】
上記目的を達成するために、本発明に係る電磁継電器は、ケース内に、電磁ソレノイド機構の励磁により、その揺動支点を中心に揺動する可動鉄片を設け、該可動鉄片の揺動により可動端子及び固定端子を有する電気接点開閉機構の開閉動作を行う電磁継電器であって、可動鉄片にカードを取り付けて、該カードに、可動端子の、互いに短絡する複数の接触片を保持させて、これらの接触片に可動端子の可動接点を担持させ、ケース内に端子を設け、この端子に、カードに復帰力を与えて、可動鉄片を電磁ソレノイド機構の消磁時の揺動位置に保持させる復帰ばね片を取付け、この復帰ばね片の復帰力により可動接点を固定端子の固定接点に対して開離させ、且つ復帰ばね片の自由端部に接点取付部を設けたことを特徴とする。
【００１３】
かかる構成により、可動端子の可動接点が常開可動接点であり、固定端子の固定接点に常開固定接点であって、常開可動接点と常開固定接点とでａ接点を構成していて一極接点タイプの電磁継電器であるが、復帰ばね片の接点取付部に常閉可動接点を取付け、ケース内に常閉固定端子を設けることで、二極接点タイプの電磁継電器を構成することができる。このように、一極接点タイプ、二極接点タイプの電磁継電器についても復帰ばね片を共用することができ、設計パラメータの接点極数による違いがなく、設計および製造工程での取り扱い難易度が低減でき、一極、二極の極数シリーズに対し設計的パラメータを合わせることができて、極数シリーズに対し容易に対応できる。
【００１４】
また、本発明に係る電磁継電器は、上記した本発明に係る電磁継電器において、接触片が二つであり、これら接触片間の中央に復帰ばね片が配置してあることを特徴とする。
【００１５】
かかる構成により、可動端子の可動接点が常開可動接点であり、固定端子の固定接点に常開固定接点であって、常開可動接点と常開固定接点とでａ接点を構成していて一極接点タイプの電磁継電器であるが、復帰ばね片の接点取付部に常閉可動接点を取付け、ケース内に常閉固定端子を設けることで、二極接点タイプの電磁継電器を構成することができる。このように、一極接点タイプ、二極接点タイプの電磁継電器についても復帰ばね片を共用することができ、設計パラメータの接点極数による違いがなく、設計および製造工程での取り扱い難易度が低減でき、一極、二極の極数シリーズに対し設計的パラメータを合わせることができて、極数シリーズに対し容易に対応できる。
【００１６】
また、本発明に係る電磁継電器は、上記した本発明に係る電磁継電器において、可動鉄片は、電磁ソレノイド機構の鉄心に対向配置される鉄心動作受け片部と可動端子揺動片部とを屈曲部で略Ｌ字状を呈するように互いに一体に形成し、且つ鉄心動作受け片部の屈曲部寄りに可動鉄片側係合部を設けて構成してあり、ケース内に、電磁ソレノイド機構を保持する電磁ソレノイド取付部材を設け、この電磁ソレノイド取付部材に取付部材側係合部を設け、この取付部材側係合部に可動鉄片側係合部を揺動可能に係合させて可動鉄片の前記揺動支点を構成し、電磁ソレノイド取付部材に可動鉄片枢支用板ばねを取付けて、この可動鉄片枢支用板ばねの自由端部に、電磁ソレノイド機構の励磁による可動鉄片の揺動時に可動端子揺動片部に接触する支え部と、この支え部に連なる可動鉄片接触部を形成して、この可動鉄片接触部を可動鉄片の屈曲部に接触させて、電磁ソレノイド機構の消磁による可動鉄片の倒れを阻止してヒンジ動作部を構成し、カードは、接触片の突出方向に突出する可動鉄片取付部と、この可動鉄片取付部に接触片の突出方向とは直交する方向に突出する操作突起部とからなるカードリフト動作部を有しており、可動鉄片取付部を可動端子揺動片部に取付けることで可動鉄片にカードを取付け、操作突起部を復帰ばね片に接触させて、この復帰ばね片の押込みに用いると共に、操作突起部の接触点を復帰力の作用点にしたことを特徴とする。
【００１７】
かかる構成により、カードは傾倒した状態を保持してカードの操作突起部が、復帰ばね片を押し込み、また、可動鉄片枢支用板ばねの支え部が、可動鉄片の可動端子揺動片部に接触してカードの操作突起部による接触片を押し込みの行き過ぎを押えるようになり、すなわち、ヒンジ動作部とカードリフト動作部とを協働させることができる。
【００１８】
また、本発明に係る電磁継電器は、上記した本発明に係る電磁継電器において、可動接点が常開可動接点であり、固定接点が常開固定接点であって、これらの常開可動接点と常開固定接点とでａ接点を構成し、復帰ばね片の記接点取付部に常閉可動接点を取付け、ケース内に常閉固定端子を設け、復帰ばね片の復帰力により常閉可動接点を常閉固定端子の常閉固定接点に接触させて常閉可動接点と常閉固定接点とでｂ接点を構成するようにしたことを特徴とする。
【００１９】
かかる構成により、一極接点タイプに用いた復帰ばね片の自由端部に設けた接点取付部に常閉可動接点を取付け、ケース内に常閉固定端子を設けて、復帰ばね片に通電機能を付加できるようにすることで、二極の極数シリーズを構成することができる。すなわち、二極接点タイプの電磁継電器ではあるが、一極接点タイプの電磁継電器の復帰ばね片を共用することができ、設計パラメータの接点極数による違いがなく、設計および製造工程での取り扱い難易度が低減でき、一極、二極の極数シリーズに対し設計的パラメータを合わせることができて、極数シリーズに対し容易に対応できる。
【００２０】
また、ａ接点において、常開可動接点の何れか一方が、その対応する常開固定接点に溶着した場合には、カードは傾倒した状態を保持してカードの操作突起部が、復帰ばね片を押し込み、また、可動鉄片枢支用板ばねの支え部が、可動鉄片の可動端子揺動片部に接触してカードの操作突起部による接触片を押し込みの行き過ぎを押えるようになり、すなわち、ヒンジ動作部とカードリフト動作部とが協働することにより、ｂ接点側では、接触片のばね力でオン作動することなく常閉可動接点が常閉固定接点から離れた状態になる。したがって、ｂ接点の回路には電流が流れなくなるために、このｂ接点側の信号が絶えることで、ａ接点において、常開可動接点の何れか一方が、その対応する常開固定接点に溶着したことが検出できる。
【００２１】
また、ｂ接点を開離させる際に、常閉可動接点と常閉固定接点とに間にアークが発生して、この常閉可動接点が常閉固定接点に溶着した場合には、カードの操作突起部が復帰ばね片を押し切れず、ａ接点側では、常開可動接点が常開固定接点から離れた状態になる。したがって、ａ接点の回路には電流が流れなくなるために、このａ接点側の信号が絶えることで、ｂ接点に溶着が発生したことが検出できる。
【発明の効果】
【００２２】
本発明に係る電磁継電器によれば、一極接点タイプ、二極接点タイプの電磁継電器についても復帰ばね片を共用することができ、設計パラメータの接点極数による違いがなく、設計および製造工程での取り扱い難易度が低減できる。また、復帰ばね片の自由端部に設けた接点取付部に常閉可動接点を取付け、ケース内に常閉固定端子を設けて、復帰ばね片に通電機能を付加できるようにすることで、一極、二極の極数シリーズに対し設計的パラメータを合わせることができて、極数シリーズに対し容易に対応できる。
【００２３】
また、本発明に係る電磁継電器によれば、ａ接点において、常開可動接点の何れか一方が、その対応する常開固定接点に溶着したことが検出できるし、また、ｂ接点に溶着が発生したことが検出できる。
【発明を実施するための最良の形態】
【００２４】
本発明の実施の形態を、図１乃至図２４を参照して詳述する。
【００２５】
図１は本発明の実施の形態を採用した電磁継電器（二極接点タイプ）の外観を描画した斜視図、図２は同電磁継電器の分解状態の斜視図、図３は同電磁継電器のケースを透過して描画した正面図、図４は図３に示す電磁継電器の電磁ソレノイド機構の消磁状態におけるＸ−Ｘ断面図、図５は図３に示す電磁継電器の電磁ソレノイド機構の消磁状態におけるＹ−Ｙ断面図、図６は図５に示す電磁継電器の電磁ソレノイド機構の励磁状態における説明図である。
【００２６】
この電磁継電器は、大略、ベース１に、電磁ソレノイド機構４０、電気接点開閉機構５０を設けて、ケース３５を被せた構成になっている。
【００２７】
図１，図８及び図９に示すように、ベース１は平面四角形状であり，このベース１の、一方の互いに対向する辺縁部には絶縁壁１ａ，１ｂが立設してある。また、ベース１の、他方の互いに対向する辺縁部には、絶縁壁１ａ，１ｂに連なる外側壁１ｃ，１ｄが立設してあり、また、ベース１の底部の外側壁１ｃ，１ｄ間には、絶縁壁１ａ，１ｂに連なる内側壁１ｅ，１ｆが立設してあって、ベース１内には、外側壁１ｃ，１ｄ及び内側壁１ｅ，１ｆにより３つの固定接点設置室２ａ，２ｂ，２ｃが並べて形成してある。
【００２８】
そして、一方の絶縁壁１ａの、図２及び図８において上部の両側には溝状の係止部３Ａが形成してあり、また、一方の絶縁壁１ａの中央部には切欠きからなる窓部４が設けてある。また、他方の絶縁壁１ｂの、図２及び図８において上部の両側には孔状の係止部３Ｂが形成してある。
【００２９】
そして、図８及び図９に示すように、固定接点設置室２ａ，２ｂ，２ｃには、磁石収容部２ａ−１，２ｂ−１，２ｃ−１が設けてある。そして、磁石収容部２ｂ−１は、その内部に永久磁石８を収容した状態で、この永久磁石８を押えて固定する固定用ばね片部２ｂ−２を備えている。
【００３０】
そして、一方の絶縁壁１ａの、図２において下部には磁石挿入孔部４ｂｃが設けてあり、磁石挿入孔部４ｂは磁石収容部２ｂ−１に開口している。また、図９に示すように、固定接点設置室２ａ（２ｂ，２ｃ）の底部には、固定端子圧入孔５ａ（５ｂ，５ｃ）が設けてある。
【００３１】
図３に示すように、固定接点設置室２ａには常開固定端子６−１が配置してあり、固定接点設置室２ｃには常開固定端子６−２が配置してある。すなわち、図７に示すように、常開固定端子６−１，６−２は、端子本体６Ａの先側をＬ字状に折曲した接点固定部６ａと、端子リード部６ｂと、圧入部６ｃを有しており、常開固定端子６−１は、その接点固定部６ａに常開固定接点７Ａを固定しており、常開固定端子６−２は、その接点固定部６ａに常開固定接点７Ｂを固定している。そして、常開固定端子６−１は、その圧入部６ｃを固定端子圧入孔５ａに圧入することで固定接点設置室２ａに配置してあり、常開固定端子６−２は、その圧入部６ｃを固定端子圧入孔５ｃに圧入することで、固定接点設置室２ｃに配置してある。
【００３２】
なお、図３に示すように、常開固定端子６−１（６−２）の圧入部６ｃを固定端子圧入孔５ａ，５ｂに圧入するに際して、外から端子収容部２ａ−１，２ｃ−１内に四角形の板状の永久磁石８が挿入され、図４に示すように、圧入部６ｃを固定端子圧入孔５ａ，５ｃに圧入することで常開固定端子６−１（６−２）の接点固定部６ａと固定接点設置室２ａ（２ｃ）の底面とで永久磁石８を挟持固定するようにしてある。
【００３３】
また、図５に示すように、固定接点設置室２ｂには常閉固定端子６−３が配置してある。すなわち、図６及び図７に示すように、常閉固定端子６−３は、端子本体９Ａの先側をＬ字状に折曲した接点固定部９ａと、端子リード部９ｂと、圧入部９ｃを有しており、接点固定部９ａに常閉固定接点７Ｃを固定している。そして、図５に示すように、常閉固定端子６−３は、その圧入部９ｃを固定端子圧入孔５ｂに圧入することで、固定接点設置室２ｂに配置してある。
【００３４】
なお、図５に示すように、常閉固定端子６−３の圧入部９ｃを固定端子圧入孔５ｂに圧入するに際して、外から磁石挿入孔部４ｂ（図３参照）を介して端子収容部２ｂ−１内に四角形の板状の永久磁石８が挿入され、固定用ばね片部２ｂ−２で永久磁石８を押えて固定している。
【００３５】
また、図９に示すように、固定接点設置室２ｂの底部には端子圧入孔１０が設けてあり、この端子圧入孔１０には、端子Ｆである常閉可動端子１２が圧入されるものである。すなわち、図１２及び図１３に示すように、常閉可動端子１２は、その端子本体１２Ａに、Ｌ字状に折曲した取付部１２ａと端子リード部１２ｂと圧入部１２ｃを有しており、取付部１２ａには接触片を兼ねる復帰ばね片１３の基端部が取付けてあり、この復帰ばね片１３の先端部には、接点取付部である可動接点取付孔部１３Ａが設けてあり、この可動接点取付孔部１３Ａに可動接点１２Ｃが取付けてある。そして、図５に示すように、圧入部１２ｃを端子圧入孔１０に圧入することで固定接点設置室２ｂには常閉可動端子１２が配置してある。そして、常閉可動端子１２の可動接点１２Ｃは常時は常閉固定接点７Ｃに投入された状態になっていて、これらで常閉接点（ｂ接点）を構成している。
【００３６】
また、図９に示すように，固定接点設置室２ａ，２ｃの底部にはコイル端子圧入孔１１ａ，１１ｃが設けてある。そして、コイル端子圧入孔１１ａにコイル端子１５Ａの圧入部１５ｃを圧入することでコイル端子１５Ａが固定接点設置室２ａに取付けてあり、また、コイル端子圧入孔１１ｃにコイル端子１５Ｂの圧入部１５ｂを圧入することでコイル端子１５Ｂが固定接点設置室２ｃに取付けてある。
【００３７】
電磁ソレノイド機構４０は、ベース１の上部に配置される、略逆Ｌ字形の電磁ソレノイド取付部材１６を備えており、図２に示すように、この電磁ソレノイド取付部材１６は、それぞれ略矩形状を呈する水平片部１６ａと垂直片部１６ｂとを一体形成してなり、水平片部１６ａの一辺側隅角部には、それぞれ略水平方向の取付部材側係合部である係合突起１６ａ−１が突設してあって、これらの係合突起１６ａ−１間が可動鉄片挿入部１６ａ−３にしてあり、また、他辺隅角部にはそれぞれ下向きの引っ掛け片１６ａ−２が形成してある。また、垂直片部１６ｂの図２において上縁部中央には位置決め片２６が突設してある。
【００３８】
そして、図４に示すように、各係合突起１６ａ−１の先部をベース１の絶縁壁１ｂの係止部３Ｂに係合すると共に、図３に示すように、引っ掛け片１６ｂ−２を絶縁壁１ａの係止部３Ａに引っ掛けることにより、電磁ソレノイド取付部材１６はベース１に取付けてある。
【００３９】
図５に示すように、電磁ソレノイド取付部材１６の水平片部１６ａには、コイル１７ａを主体として構成して電磁力を発生する電磁ブロック１７が装着してあり、コイル１７ａの一方の端末部は一方のコイル端子１５Ａに接続してあり、コイル１７ａの他方の端末部は他方のコイル端子１５Ｂに接続してある。
【００４０】
また、図５に示すように、電磁ブロック１７には、当該電磁ブロック１７の励磁及び消磁により可動鉄片２０を揺動する鉄心１９が設けてある。鉄心１９の一端側は、電磁ソレノイド取付部材１６の垂直片部１６Ｂに形成した抜き孔１６ｂ−１に摺動可能に挿入してある。
【００４１】
図２及び図５に示すように、電気接点開閉機構５０は、略Ｌ字状に形成された可動鉄片２０と、この可動鉄片２０を支える可動鉄片枢支用板ばね２１と、可動鉄片２０に取付けられたカード２７とを備えている。そして、図２に示すように、可動鉄片２０は、略垂直状の鉄心対向片部２０ａと、この鉄心対向片部２０ａに対して略直角に屈曲形成された屈曲部２０ｂと、この屈曲部２０ｂの中央に水平突設された可動端子揺動片部２０ｃと、鉄心対向片部２０ａの下端両隅角部の可動鉄片側係合部である一対の係合段差部２０ａ−１とで構成してある。
【００４２】
図２において、２１は可動鉄片枢支用板ばねである。この可動鉄片枢支用板ばね２１は、四角形状の枠状のばね本体２１Ａを有していて、このばね本体２１Ａの基部が取付部２２にしてある。また、ばね本体２１Ａの一対の板ばね部２３は図２において下方に屈曲してあり、また、ばね本体２１Ａの先部は支え部２１ａにしてあり、支え部２１ａには舌片状の可動鉄片接触部２４が形成してある。
【００４３】
そして、図４及び図５に示すように、可動鉄片２０は、その屈曲部２０ｂを可動鉄片挿入部１６ａ−３に挿入した状態で、鉄心対向片部２０ａの一対の係合段差部２０ａ−１を水平片部１６ａの係合突起１６ａ−１に揺動可能に係合することによって、すなわち、可動鉄片側係合部を取付部材側係合部に揺動可能に係合することで可動鉄片２０の揺動支点Ｐが構成してあり、可動鉄片２０は、揺動支点Ｐを中心に揺動するようになる。この場合、可動鉄片２０の鉄心対向片部２０ａは鉄心１９の他端側に対向している。
【００４４】
そして、図４及び図５に示すように、可動鉄片枢支用板ばね２１は、その基部の取付部２２で電磁ソレノイド取付部材１６の水平片部１６ａの図５において下面に取付けてある。そして、図５に示すように、可動鉄片枢支用板ばね２１の支え部２１ａが、可動鉄片２０の可動端子揺動片部２０ｃの図５において下方に位置していて、可動鉄片接触部２４が可動鉄片２０の屈曲部２０ｂ  に接触している。そして、可動鉄片枢支用板ばね２１は、可動鉄片２０の揺動支点Ｐを構成する鉄心対向片部２０ａの係合段差部２０ａ−１と、この係合段差部２０ａ−１が揺動可能に係合する水平片部１６ａの係合突起１６ａ−１と共に、ヒンジ動作部Ｑを構成している。
【００４５】
図２において、２７はカードであり、このカード２７は、図１０に示すように、そのカード本体２７Ａ部分で、互いに短絡した接触片２８，２９をインサート成形により保持している。すなわち、図１１に示すように、接触片２８，２９は、それぞれの基部が短絡部３０により互いに連なっており、接触片２８，２９の先部には常開可動接点２８Ａ，２９Ａが固着してある。また、接触片２８，２９の基端部にはテスト配線部３１がそれぞれに突出形成してある。そして、接触片２８，２９はそれぞれの基部及び短絡部３０の部分でカード本体２７Ａに保持されている。この場合、テスト配線部３１はカード本体２７Ａの背部から外方に突出している。
【００４６】
また、カード本体２７Ａには、接触片２８，２９の突出方向に突出する可動鉄片接合部３２が突設してあり、この可動鉄片接合部３２には図１０において下方に突出する操作突起部３３が設けてあり、この可動鉄片接合部３２と操作突起部３３とでカードリフト動作部Ｒを構成している。
【００４７】
そして、図５に示すように、カード２７は、その可動鉄片接合部３２を可動鉄片２０の可動端子揺動片部２０Ｃに装着して、可動鉄片２０に取付けてある。そして、カード２７の操作突起部３３の先部は、常閉接点（ｂ接点）の復帰ばね片１３に接触させて、この復帰ばね片１３の押込みに用いると共に、操作突起部３３の接触点を復帰力の作用点にしてある。したがって、復帰ばね片１３の復帰ばね機能によりカードリフト動作部Ｒを介してカード２７は持ち上げられるために、図７に示すように、常開可動接点２８Ａ，２９Ａは常開固定端子６−１，６−２の常開固定接点７Ａ，７Ｂに対向していて、常開接点（ａ接点）を構成している。
【００４８】
そして、図２に示すように、ケース３５は、その天井部３５ａの内面に位置決め片挿入部３４を有しており、また、互いに対向する側壁部３５ｂ，３５ｃの図２において下端部には係合部３６が形成してある。そして、ケース３５は、ベース１に配置された電磁ソレノイド機構４０および電気接点開閉機構５０等を覆った後、係合部３６をベース１に設けた一対の係合突起部１ａ−１に係合することによって、ベース１に組み付けてある。この場合、位置決め片挿入部３４に、電磁ソレノイド取付部材１６の位置決め片２６が挿入してある。
【００４９】
次に、上記のように構成された電磁継電器の作動を説明する。
【００５０】
図１４及び図１５に示すように、電磁ソレノイド機構４０の電磁ブロック１７に電気が投入されていない消磁においては、可動鉄片枢支用板ばね２１の付勢力及び復帰ばね片１３の復帰ばね機能によって、可動鉄片２０はカードリフト動作部Ｒを介してケース３５の外側方向（図１５では左方向）に付勢されて揺動している。したがって、カード２７に保持された接触片２８，２９は持ち上がっていて、常開接点（ａ接点）では、常開可動接点２８Ａ，２９Ａは常開固定端子６−１，６−２の常開固定接点７Ａ，７Ｂから離れている。
【００５１】
また、復帰ばね片１３の復帰ばね機能によって、常閉可動端子６−３の常閉可動接点１２Ｃは押し上げられていて、常閉可動端子６−３の常閉固定接点７Ｃに接触している。
【００５２】
図１６及び図１７に示すように、この電磁ソレノイド機構４０の消磁状態から、電磁ブロック１７に電気を投入して励磁させると、鉄心１９が可動鉄片２０を吸引するために、カード２７が揺動支点Ｐを支点にして図１７において時計回り方向に回動する。したがって、カード２７を介して常開可動接点２８Ａ，２９Ａを常開固定端子６−１，６−２の常開固定接点７Ａ，７Ｂに接触させて、常開接点（ａ接点）を投入する。
【００５３】
この投入動作と同時に、カード２７の操作突起部３３が、常閉可動端子１２の復帰ばね片１３を、図６及び図１７において下方向に押し込むために、復帰ばね片１３に設けた常閉可動接点１２Ｃは常閉固定接点７Ｃから開離された状態になっていて、常閉接点（ｂ接点）を開離する。
【００５４】
上記した電磁継電器は、ａ接点とｂ接点を有する二極接点構成（１ａ１ｂシリーズ）であり、この二極接点構成を配線図で示すと図１８のようになる。そして、この二極接点構成において、ａ接点とｂ接点の何れかに溶着が発生する場合を説明する。
【００５５】
先ず、常開接点（ａ接点）において、常開可動接点２８Ａ，２９Ａの何れか一方が、その対応する常開固定接点（７Ａもしくは７Ｂ）に溶着した場合には、カード２７は傾倒した状態を保持してカード２７の操作突起部３３が、常閉可動端子１２の復帰ばね片１３を押し込み、また、図５に示す可動鉄片枢支用板ばね２１の支え部２１ａが、可動鉄片２０の可動端子揺動片部２０ｃの図５において下面に接触してカード２７の操作突起部３３による復帰ばね片１３を押し込みの行き過ぎを押えるようになり、すなわち、ヒンジ動作部Ｑとカードリフト動作部Ｒとが協働することにより、常閉接点（ｂ接点）側では、接触片２８，２９のばね力でオン作動することなく常閉可動接点１２Ｃが常閉固定接点７Ｃから離れた状態になる。したがって、常閉接点（ｂ接点）の回路には電流が流れなくなるために、この常閉接点（ｂ接点）側の信号が絶えることで、常開接点（ａ接点）において、常開可動接点２８Ａ，２９Ａの何れか一方が、その対応する常開固定接点（７Ａもしくは７Ｂ）に溶着したことが検出できる。
【００５６】
また、常閉接点（ｂ接点）を開離させる際に、常閉可動接点１２Ｃと常閉固定接点７Ｃとに間にアークが発生して、この常閉可動接点１２Ｃが常閉固定接点７Ｃに溶着した場合には、カード２７の操作突起部３３が復帰ばね片１３を押し切れず、常開接点（ａ接点）側では、常開可動接点２８Ａ、２９Ａが常開固定接点７Ａ，７Ｂから離れた状態になる。したがって、常開接点（ａ接点）の回路には電流が流れなくなるために、この常開接点（ａ接点）側の信号が絶えることで、常閉接点（ｂ接点）に溶着が発生したことが検出できる。
【００５７】
次に、電磁継電器において、ａ接点のみを有する一極接点構成（１ａシリーズ）の場合を、図１２、図１９乃至図２４を参照して説明する。
【００５８】
一極接点構成（１ａシリーズ）の電磁継電器では、その接点構成において、図２０に示すように、上記した二極接点構成（１ａ１ｂシリーズ）の電磁継電器における常閉固定端子６−３と、常閉固定接点７Ｃが無い状態であって、復帰ばね片１３は復帰ばねとしての機能のみを担うことになる。また、他の構成は上記した二極接点構成（１ａ１ｂシリーズ）の電磁継電器と同じであるので、同じ符号を付して説明を省略する。
【００５９】
したがって、図２１及び図２２に示すように、電磁ソレノイド機構４０の電磁ブロック１７に電気が投入されていない消磁においては、可動鉄片２０は、可動鉄片枢支用板ばね２１の付勢力及び復帰ばね片１３の復帰ばね機能によって、ケース３５の外側方向（図２２では左方向）に付勢されて揺動している。したがって、カード２７に保持された接触片２８，２９は持ち上がっていて、常開接点（ａ接点）では、常開可動接点２８Ａ，２９Ａは常開固定端子６−１，６−２の常開固定接点７Ａ，７Ｂから離れている。
【００６０】
この電磁ソレノイド機構４０の消磁状態から、電磁ブロック１７に電気を投入して励磁させると、鉄心１９が可動鉄片２０を吸引するために、図２３及び図２４に示すように、カード２７が揺動支点Ｐを支点にして図２４において時計回り方向に回動する。したがって、カード２７を介して常開可動接点２８Ａ，２９Ａを常開固定端子６−１，６−２の常開固定接点７Ａ，７Ｂに接触させて、常開接点（ａ接点）を投入する。
【００６１】
上記した本発明の実施例によれば、ａ接点を構成した一極接点タイプの電磁継電器において、復帰ばね片１３の可動接点取付孔部１３Ａに常閉可動接点１２Ｃを取付け、ケース３５内に常閉固定端子６−３を設けることで、二極接点タイプの電磁継電器を構成することができる。このように、一極接点タイプ、二極接点タイプの電磁継電器についても復帰ばね片１３を共用することができ、設計パラメータの接点極数による違いがなく、設計および製造工程での取り扱い難易度が低減できる。このように、復帰ばね片１３の自由端部に設けた可動接点取付孔部１３Ａに常閉可動接点１２Ｃを取付け、ケース３５内に常閉固定端子６−３を設けて、復帰ばね片１３に通電機能を付加できるようにすることで、一極、二極の極数シリーズに対し設計的パラメータを合わせることができて、極数シリーズに対し容易に対応できる。
【００６２】
また、上記した本発明の実施例によれば、ａ接点において、常開可動接点２８Ａ，２９Ａの何れか一方が、その対応する常開固定接点（７Ａもしくは７Ｂ）に溶着した場合には、ｂ接点側では、接触片２８，２９のばね力でオン作動することなく常閉可動接点１２Ｃが常閉固定接点７Ｃから離れた状態になり、ｂ接点の回路には電流が流れなくなるために、このｂ接点側の信号が絶えることで、ａ接点において、常開可動接点２８Ａ，２９Ａの何れか一方が、その対応する常開固定接点（７Ａもしくは７Ｂ）に溶着したことが検出できる。
【００６３】
また、ｂ接点を開離させる際に、常閉可動接点１２Ｃと常閉固定接点７Ｃとに間にアークが発生して、この常閉可動接点１２Ｃが常閉固定接点７Ｃに溶着した場合には、カード２７の操作突起部３３が復帰ばね片１３を押し切れず、ａ接点側では、常開可動接点２８Ａ，２９Ａが常開固定接点７Ａ，７Ｂから離れた状態になり、ａ接点の回路には電流が流れなくなるために、このａ接点側の信号が絶えることで、ｂ接点に溶着が発生したことが検出できる。
【産業上の利用可能性】
【００６４】
本発明は、一極接点タイプ、二極接点タイプの電磁継電器についても復帰ばね片を共用することができ、設計パラメータの接点極数による違いがなく、設計および製造工程での取り扱い難易度が低減できるし、また、ａ接点において、常開可動接点の何れか一方が、その対応する常開固定接点に溶着したことが検出できるし、また、ｂ接点に溶着が発生したことが検出できるという効果を有しており、電磁ソレノイド機構の励磁或いは消磁により可動鉄片を駆動し、可動端子及び固定端子を有する電気接点開閉機構の開閉動作を行うように構成した等に好適であるといえる。
【図面の簡単な説明】
【００６５】
【図１】本発明の実施の形態を採用した電磁継電器（二極接点タイプ）の外観を描画した斜視図である。
【図２】同電磁継電器の分解状態の斜視図である。
【図３】同電磁継電器のケースを透過して描画した正面図である。
【図４】図３に示す電磁継電器の電磁ソレノイド機構の消磁状態におけるＸ−Ｘ断面図である。
【図５】図３に示す電磁継電器の電磁ソレノイド機構の消磁状態におけるＹ−Ｙ断面図である。
【図６】図５に示す電磁継電器の電磁ソレノイド機構の励磁状態における説明図である。
【図７】電磁継電器（二極接点タイプ）の電気接点開閉機構の斜視図である。
【図８】ベースの斜視図である。
【図９】ベースの平面図である。
【図１０】カードが接触片を保持した状態の斜視図である。
【図１１】接触片の斜視図である。
【図１２】復帰ばね片を保持した端子の斜視図である。
【図１３】先端部に接点を設けた復帰ばね片を保持した端子の斜視図である。
【図１４】電磁継電器（二極接点タイプ）であって、電磁ソレノイド機構の消磁状態における電気接点開閉機構の正面図である。
【図１５】同電磁ソレノイド機構の消磁状態における電気接点開閉機構の側面図である。
【図１６】同電磁ソレノイド機構の励磁状態における電気接点開閉機構の正面図である。
【図１７】同電磁ソレノイド機構の励磁状態における電気接点開閉機構の側面図である。
【図１８】電磁継電器（二極接点タイプ）の配線図である。
【図１９】電磁継電器（一極接点タイプ）の配線図である。
【図２０】電磁継電器（一極接点タイプ）の電気接点開閉機構の斜視図である。
【図２１】電磁継電器（一極接点タイプ）であって、電磁ソレノイド機構の消磁状態における電気接点開閉機構の正面図である。
【図２２】同電磁ソレノイド機構の消磁状態における電気接点開閉機構の側面図である。
【図２３】同電磁ソレノイド機構の励磁状態における電気接点開閉機構の正面図である。
【図２４】同電磁ソレノイド機構の励磁状態における電気接点開閉機構の側面図である。
【図２５】従来の電磁継電器の分解状態の斜視図である。
【図２６】同電磁継電器の電磁ソレノイド機構の消磁状態における説明図ある。
【図２７】同電磁継電器の電磁ソレノイド機構の励磁状態における説明図である。
【符号の説明】
【００６６】
１        ベース
２ａ，２ｂ，２ｃ  固定接点設置室
６−１    常開固定端子
６−２    常開固定端子
６−３    常閉固定端子
６ａ      接点固定部
６ｂ      端子リード部
６ｃ      圧入部
７Ａ      常開固定接点
７Ｂ      常開固定接点
７Ｃ      常閉固定接点
９Ａ      端子本体
９ａ      接点固定部
９ｂ      端子リード部
９ｃ      圧入部
１２      常閉可動端子（端子Ｆ）
１２Ａ    端子本体
１２ａ    取付部
１２ｂ    端子リード部
１２ｃ    圧入部
１３      復帰ばね片
１３Ａ    可動接点取付孔部（接点取付部）
１６      電磁ソレノイド取付部材
１６ａ    水平片部
１６Ｂ    垂直片部
１６ａ−１  係合突起（取付部材側係合部）
１６ａ−２  引っ掛け片
１６ａ−３  可動鉄片挿入部
１７      電磁ブロック
１９      鉄心
２０      可動鉄片
２０ａ    鉄心対向片部
２０ｂ    屈曲部
２０ｃ    可動端子揺動片部
２０ａ−１  係合段差部（可動鉄片側係合部）
２１      可動鉄片枢支用板ばね
２１Ａ    ばね本体
２１ａ    支え部
２２      取付部
２３      板ばね部
２４      可動鉄片接触部
２７      カード
２７Ａ    カード本体
２８，２９  接触片
２８Ａ，２９Ａ  可動接点（常開可動接点）
３０      短絡部
３２      可動鉄片接合部
３３      操作突起部
３５      ケース
４０      電磁ソレノイド機構
５０      電気接点開閉機構
Ｐ        揺動支点
Ｑ        ヒンジ動作部
Ｒ        カードリフト動作部
【図１】
0005092824.tif 000002
【図２】
0005092824.tif 000003
【図３】
0005092824.tif 000004
【図４】
0005092824.tif 000005
【図５】
0005092824.tif 000006
【図６】
0005092824.tif 000007
【図７】
0005092824.tif 000008
【図８】
0005092824.tif 000009
【図９】
0005092824.tif 000010
【図１０】
0005092824.tif 000011
【図１１】
0005092824.tif 000012
【図１２】
0005092824.tif 000013
【図１３】
0005092824.tif 000014
【図１４】
0005092824.tif 000015
【図１５】
0005092824.tif 000016
【図１６】
0005092824.tif 000017
【図１７】
0005092824.tif 000018
【図１８】
0005092824.tif 000019
【図１９】
0005092824.tif 000020
【図２０】
0005092824.tif 000021
【図２１】
0005092824.tif 000022
【図２２】
0005092824.tif 000023
【図２３】
0005092824.tif 000024
【図２４】
0005092824.tif 000025
【図２５】
0005092824.tif 000026
【図２６】
0005092824.tif 000027
【図２７】
0005092824.tif 000028